(57)【特許請求の範囲】
【請求項１】
冷蔵庫本体に冷蔵室、野菜室、冷凍室を設けるとともに、前記野菜室は前記冷蔵室と前記冷凍室との間に位置させて、前記冷蔵室に設けた給水タンクからの給水パイプが前記野菜室を介して前記冷凍室に設けた製氷皿に開口するように構成し、かつ、前記給水パイプに凍結防止用ヒータを設けてカバーで覆うとともに、前記給水パイプの前記カバーには前記凍結防止用ヒータからのリード線と冷蔵庫本体側から引き出した本体リード線との接続部分及び前記各リード線を収納する収納部を設け、前記野菜室の背面には前記冷蔵庫本体の内箱との間に冷気通路を構成する背面壁体は結露防止用ヒータ等の電装部品を有するとともに、同背面壁体の給水パイプ側端片部分に壁体収納部を設け、前記壁体収納部に前記電装部品のリード線と前記本体リード線及びこれらの接続部を収納するとともに、前記背面壁体のリード線収納部分と前記給水パイプ及び前記カバーとを化粧カバーで一体に覆った冷蔵庫。
【請求項２】
収納部はカバーに一体形成した請求項１記載の冷蔵庫。
【請求項３】
前記背面壁体の側方に前記給水パイプを配置し、この給水パイプのカバーを前記背面壁体とは別個に独立して冷蔵庫本体に装着した請求項１または２記載の冷蔵庫。
【請求項４】
冷蔵庫本体側から引き出した本体リード線及びその接続部を収納する仮収納部を前記野菜室と前記冷凍室との間の仕切板に設けた請求項１〜３のいずれか１項記載の冷蔵庫。
【発明の詳細な説明】
【技術分野】
【０００１】
本発明は冷蔵庫に関するものである。
【背景技術】
【０００２】
一般に家庭用冷蔵庫は、冷蔵庫本体内に複数の貯蔵室、例えば、冷蔵室、野菜室、冷凍室等を備え、前記冷凍室に製氷装置を配置するとともに冷蔵室には給水タンクを設けて、当該給水タンクから給水パイプを介して前記製氷装置に給水し、氷を作り貯氷するようになっている（例えば、特許文献１参照）。
【０００３】
図１４は特許文献１記載の冷蔵庫を示し、１０１は冷蔵室、１０２は野菜室、１０３は冷凍室を示し、冷蔵室１０１と野菜室１０２との間を仕切る仕切板１０４に給水タンク１０５が設けてあって、この給水タンク１０５から延びる給水パイプ１０６が野菜室１０２の内壁面に沿って冷凍室１０３まで引き出され、その先端が冷凍室１０３の上部に配置されている製氷装置の製氷皿１０７に臨んで開口させてある。なお、上記給水パイプ１０６はカバー１０８によって覆ってある。
【０００４】
これにより、給水タンク１０５内の水が給水パイプ１０６を介して冷却室１０３内の製氷皿１０７に供給され、冷凍室１０３の冷凍低温によって凍結し氷が作られることになる。
【先行技術文献】
【特許文献】
【０００５】
【特許文献１】特開２００８−１５１３８９号公報
【発明の概要】
【発明が解決しようとする課題】
【０００６】
しかしながら、上記従来の構成では給水パイプ１０６の先端部分が冷凍室１０３内の冷凍冷気によって冷却され、内部の水が凍結してパイプ詰まりを起こすことがある。そこで、従来は、上記特許文献１にも記載されているように、給水パイプ１０６にはその先端部分に凍結防止用ヒータ１０９が設けてあり、給水パイプ１０６の温度が所定温度以下になると凍結防止用ヒータ１０９に通電するようになっている。
【０００７】
そのため、この種の製氷装置を有する冷蔵庫は、前記給水パイプ１０６の近傍において冷蔵庫本体から引き出した本体リード線と前記凍結防止用ヒータ１０９のリード線とを接続して給電するようになっている。そして、上記リード線や接続部は多くの場合、野菜室１０２と冷凍室１０３との間の仕切板１０４或いは冷蔵庫本体の側壁内面等に前記本体リード線やその接続コネクタを収納する凹部を設け、この凹部内に凍結防止用ヒータ１０９側のリード線や冷蔵庫本体側の本体リード線及びそれら両リード線の接続用のコネクタを収納する構成となっている。
【０００８】
その結果、従来の冷蔵庫は、野菜室１０２と冷凍室１０３との間の仕切板１０４或いは冷蔵庫本体の側壁にリード線等収納用の凹部が必要となって冷蔵庫本体の内箱形状が複雑化する。また、冷蔵庫本体は上記凹部のところで壁厚が薄くなって断熱性が低下する、もしくはこの凹部により壁厚が薄くなる分を見越して壁全体を厚め設計するためその分野菜室１０２或いは冷凍室１０３の内容積が減少する、という課題を持っていた。
【０００９】
そして、上記課題のうち、断熱性の低下もしくは内容積の減少は微々たるものでこれま
では見過ごされてきたが、省エネ性向上もしくは冷蔵庫本体容積向上の要望が厳しさを増してきている今日にあっては、仕切板もしくは本体側壁の厚さに影響を与えない、すなわち冷蔵庫本体側に影響を与えないリード線及びその接続部の新たな収納処理構成の提供が必要となってきている。
【００１０】
本発明はこのような点に鑑みてなしたもので、冷蔵庫本体側にリード線等収納部を設けるなどの影響を与えることなくリード線等の収納処理が可能でメンテナンス作業も容易に行える冷蔵庫の提供を目的としたものである。
【課題を解決するための手段】
【００１１】
本発明は、上記目的を達成するため、冷蔵庫本体に冷蔵室、野菜室、冷凍室を設けるとともに、前記野菜室は前記冷蔵室と前記冷凍室との間に位置させて、前記冷蔵室に設けた給水タンクからの給水パイプが前記野菜室を介して前記冷凍室に設けた製氷皿に開口するように構成し、かつ、前記給水パイプに凍結防止用ヒータを設けてカバーで覆うとともに、前記給水パイプの前記カバーには前記凍結防止用ヒータからのリード線と冷蔵庫本体側から引き出した本体リード線との接続部分及び前記各リード線を収納する収納部を設け、前記野菜室の背面には前記冷蔵庫本体の内箱との間に冷気通路を構成する背面壁体は結露防止用ヒータ等の電装部品を有するとともに、同背面壁体の給水パイプ側端片部分に壁体収納部を設け、前記壁体収納部に前記電装部品のリード線と前記本体リード線及びこれらの接続部を収納するとともに、前記背面壁体のリード線収納部分と前記給水パイプ及び前記カバーとを化粧カバーで一体に覆った構成としてある。
【００１２】
これにより、この冷蔵庫では凍結防止用ヒータからのリード線と冷蔵庫本体側から引き出した本体リード線及びこれらのリード線を接続する接続部となるコネクタ等を収納する収納部を冷蔵庫本体の内壁面等に設ける必要がなく、給水パイプ及びリード線やその接続コネクタを冷蔵庫本体とは別物のカバーによって合理的に収納処理することができる。そして、上記カバーを取り外してカバーを手前側に出せば凍結防止用ヒータのリード線と冷蔵庫本体側の本体リード線との接続等を比較的広い場所で行うことができ、結果的に給水パイプや凍結防止用ヒータのメンテナンスも容易に行えるようになる。
【発明の効果】
【００１３】
本発明は、上記構成により、冷蔵庫本体側にリード線等収納部を設けることなくリード線等の収納処理が可能でメンテナンス作業も容易に行える冷蔵庫を提供することができる。
【図面の簡単な説明】
【００１４】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の野菜室を示す概略断面図
【図５】同実施の形態１における冷蔵庫の製氷装置組み込み部分を示す断面図
【図６】同実施の形態１における冷蔵庫の野菜室を中心として示す正面図
【図７】同実施の形態１における冷蔵庫の野菜室と冷凍室の主要な構成部品を示す分解斜視図
【図８】同実施の形態１における冷蔵庫の野菜室の背面壁体の分解斜視図
【図９】（ａ）〜（ｄ）同実施の形態１における冷蔵庫の野菜室を構成する主要部品の組み立てを説明する説明図
【図１０】同実施の形態１における冷蔵庫の野菜室背面壁体を示す正面図
【図１１】（ａ）〜（ｃ）同実施の形態１における冷蔵庫の野菜室背面壁体でのリード線処理を説明する正面図
【図１２】同実施の形態１における冷蔵庫の製氷装置を構成する給水パイプの要部拡大斜視図
【図１３】（ａ）〜（ｄ）同実施の形態１における冷蔵庫の給水パイプのリード線処理を説明する正面図
【図１４】（ａ）〜（ｃ）同実施の形態１における冷蔵庫の給水パイプ部分の仮収納部のリード線処理を説明する斜視図
【図１５】従来の冷蔵庫の製氷装置組み込み部分を示す断面図
【発明を実施するための形態】
【００１５】
第１の発明は、冷蔵庫本体に冷蔵室、野菜室、冷凍室を設けるとともに、前記野菜室は前記冷蔵室と前記冷凍室との間に位置させて、前記冷蔵室に設けた給水タンクからの給水パイプが前記野菜室を介して前記冷凍室に設けた製氷皿に開口するように構成し、かつ、前記給水パイプに凍結防止用ヒータを設けてカバーで覆うとともに、前記給水パイプの前記カバーには前記凍結防止用ヒータからのリード線と冷蔵庫本体側から引き出した本体リード線との接続部分及び前記各リード線を収納する収納部を設け、前記野菜室の背面には前記冷蔵庫本体の内箱との間に冷気通路を構成する背面壁体は結露防止用ヒータ等の電装部品を有するとともに、同背面壁体の給水パイプ側端片部分に壁体収納部を設け、前記壁体収納部に前記電装部品のリード線と前記本体リード線及びこれらの接続部を収納するとともに、前記背面壁体のリード線収納部分と前記給水パイプ及び前記カバーとを化粧カバーで一体に覆った構成としてある。
【００１６】
これにより、この冷蔵庫では凍結防止用ヒータからのリード線と冷蔵庫本体側から引き出した本体リード線及びこれらのリード線を接続する接続部となるコネクタ等を収納する収納部を冷蔵庫本体の内壁面等に設ける必要がなく、給水パイプ及びリード線やその接続コネクタを冷蔵庫本体とは別物のカバーによって合理的に収納処理することができる。そして、上記カバーを取り外してカバーを手前側に出せば凍結防止用ヒータのリード線と冷蔵庫本体側の本体リード線との接続等を比較的広い場所で行うことができ、結果的に給水パイプや凍結防止用ヒータのメンテナンスも容易に行え、また、背面壁体側のリード線収納部分を覆うカバーを利用して給水パイプ及びそのカバーを覆うことができるので、給水パイプ全体を覆うカバー部材を別途必要とせず、構成の合理化によるコストダウンが可能になると同時に、給水パイプ及びそのカバー自体もその全体を覆って人目につかないようにしその品位を向上させることができる。
【００１７】
第２の発明は、第１の発明において、前記収納部はカバーに一体形成した構成としてある。
【００１８】
これにより、収納部とカバーとを別部品で構成するような場合に比べ部品点数や組み立て工数を削減でき、安価に提供できるとともに、カバーを外すことによって前記した如く凍結防止用ヒータのリード線と冷蔵庫本体側の本体リード線との接続等を容易に行えるようになり、メンテナンス性が向上する。
【００１９】
第３の発明は、第１または第２の発明において、前記野菜室の背面には冷蔵庫本体内箱との間に冷気通路を構成する背面壁体を着脱自在に設けるとともに、この背面壁体の側方に前記給水パイプを配置し、この給水パイプのカバーを前記背面壁体とは別個に独立して冷蔵庫本体に装着した構成としてある。
【００２０】
これにより、野菜室内に設けた給水パイプのカバーと野菜室の背面壁体とを冷蔵庫本体内箱に対し別々に着脱することができ、例えば背面壁体を外さないとカバーを外せない等の制約を受けることがなくなってカバー及び背面壁体の着脱が容易となり、メンテナンス性を一段と向上させることができる。
【００２３】
第４の発明は、第１〜第３の発明において、前記冷蔵庫本体側から引き出した本体リード線及びその接続部を収納する仮収納部を前記野菜室と前記冷凍室との間の仕切板に設けた構成としてある。
【００２４】
これにより、冷蔵庫本体内箱に野菜室と冷凍室との間を仕切る仕切板を治具で冷蔵庫本体内箱側に押しつけて発泡断熱材を充填発泡させる際、冷蔵庫本体側から引き出した本体リード線を仕切板の仮収納部内に収納しておくことができるので、治具セット時に本体リード線を仮保持する仮保持部材を別途準備する必要がなくなって作業性が向上するとともに、部品削減によるコストダウンが可能となり、しかも、治具セット時に当該治具に圧接されて本体コードが傷ついたり切断したりするのを防止でき、品質を安定化させることもできる。
【００２５】
以下、本発明の実施の形態について、図面を参照しながら説明する。尚、この実施の形態によって本発明が限定されるものではない。
【００２６】
（実施の形態１）
図１〜図１４は本発明の実施の形態１を示すもので、まず、冷蔵庫の全体構成について説明する。
【００２７】
図１〜図６において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５、６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００２８】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００２９】
また、冷蔵庫本体１の背面には冷気を生成する冷却室１６と冷却室１６からの冷気を前記冷蔵室７、野菜室８、冷凍室９に供給循環させる冷気通路１７が設けられている。前記冷却室１６は冷凍室９の背面から野菜室８の下部背面に渡って形成されており、野菜室８との間は発泡スチロール等によって断熱性を持たせた背面壁体１８によって断熱仕切りしてある。
【００３０】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３１】
ここで、前記した野菜室８の背面壁体１８は、図４や図８に示すように冷蔵庫本体１の内箱３との間に冷却室１６や冷気通路１７を構成する例えば発泡スチロール製の断熱壁材２１とその表面に装着する壁体カバー２２との間に結露防止用ヒータ２３を組み込んで構成してあり、野菜室８背面の冷却室１６からの冷輻射により過冷却されて結露が発生するのを防止する構造になっている。
【００３２】
上記野菜室８の背面壁体１８は図１０に示すようにその壁体カバー２２の一側端片部２４に収納部２５（以下、壁体収納部と称す）が一体形成してあり、この壁体収納部２５に前記結露防止用ヒータ２３からのリード線２６（以下、結露防止ヒータ用リード線と称す）を収納保持させてある。そして、上記結露防止用ヒータ２３からの結露防止ヒータ用リード線２６は冷蔵庫本体１の適所、この実施の形態では冷蔵室７と野菜室８との間の仕切板５の下面後コーナ部より引き出した本体リード線２７（以下、壁体用本体リード線と称す）と接続し、それらのリード線２６，２７とともにその接続部となるコネクタ２８（以下、壁体用コネクタと称す）を壁体収納部２５内に収納保持させてある。
【００３３】
すなわち、前記野菜室８と冷蔵室７との間の仕切板５にはその内部に前記結露防止用ヒータ２３からの結露防止ヒータ用リード線２６を接続するための壁体用本体リード線２７が組み込んであって、前記背面壁体１８の一側端片部２４の上方となる後角部分から引き出してあり、この壁体用本体リード線２７に前記結露防止用ヒータ２３からの結露防止ヒータ用リード線２６が接続してあり、これら両リード線２６，２７とともにそのコネクタ２８が壁体収納部２５内に収納保持させてある。
【００３４】
ここで、前記仕切板５の壁体用本体リード線２７の引出部となる部分、すなわち壁体収納部２５の上方部分には同図１０に示すように壁体仮収納部２９が形成してあり、図１１の（ａ）で示すように上記壁体用本体リード線２７を生産過程のひととき収納保持させておく構成としてある。
【００３５】
そして前記した野菜室８の背面壁体１８は前記結露防止用ヒータ２３の交換等のメンテナンスが可能なように冷蔵庫本体１の内箱３にビス等で着脱自在に装着してある。
【００３６】
なお、この実施の形態の冷蔵庫では上記野菜室８内の過冷や温度ムラによる結露をより確実に防止するために野菜室８の冷気取入口（図示せず）に野菜室ファン３１（図２、図６、図８参照）が設けてあり、野菜室内の冷気を拡散循環させるなどして野菜室内の過冷却や温度ムラによる結露発生を抑制し、野菜を劣化させることなく良好に保存できるようになっている。そしてこの野菜室ファン３１は図８に示すように野菜室８の背面壁体１８に組み込んであり、図示はしないもののそのリード線も前記結露防止用ヒータ２３の結露防止ヒータ用リード線２６と同様に背面壁体１８から引出して壁体用本体リード線２７と接続し壁体収納部２５に収納するようになっている。
【００３７】
次にこの冷蔵庫には上記冷蔵室７から冷凍室９にかけて製氷装置が組み込んであるので、この製氷装置について、図５〜図１４を用い説明する。
【００３８】
この冷蔵庫の製氷装置は、図５に示すように、その給水タンク３２は冷蔵室７内の仕切板５上に載置し、その給水タンク３２からの給水パイプ３３を仕切板５から野菜室８を貫通させて、冷凍室９の上部に配置した製氷皿３４に開口させてある。
【００３９】
上記給水パイプ３３は、図１０に示すように前記野菜室８の背面壁体１８の壁体収納部２５を設けた一側端辺部分側に位置する様に貫設してあり、図１３（ａ）に示すように、その先端開口部分に凍結防止用ヒータ３５が装備してある。そして、図１２等に示すように上記給水パイプ３３の凍結防止用ヒータ３５とそのリード線３６（以下、凍結防止ヒータ用リード線と称す）の引出部分を電気絶縁性樹脂で形成したカバー３７によって覆い、その凍結防止ヒータ用リード線３６は図１３（ｃ）に示すように前記野菜室８と冷凍室９との間を仕切る仕切板６の後角部より引き出した本体リード線３９（以下、カバー用本体リード線と称す）と接続してある。
【００４０】
上記カバー３７は図１２に示すようにその奥端部分に給水パイプ３３に沿って縦方向に
立ち上がる上面開口略箱状の収納部３８が一体形成してあり、この収納部３８内に前記凍結防止用ヒータ３５からの凍結防止ヒータ用リード線３６及び前記カバー用本体リード線３９とこれら両リード線３６，３９の接続部となるコネクタ４０（以下、カバー用リード線と称す）が収納してある。
【００４１】
ここで、前記仕切板６のカバー用本体リード線３９の引出部となる後角部上面にも図１４に示すように仮収納部４１が立設形成してあり、上記仕切板６から引き出したカバー用本体リード線３９とそのコネクタ４０を生産過程のひととき収納保持させておく構成としてある。
【００４２】
そして、上記カバー３７は冷蔵庫本体１の仕切板６にビス等によって前記背面壁体１８とは独立して着脱自在なるように装着し、給水パイプ３３先端部の点検や凍結防止用ヒータ３５の交換等のメンテナンスが可能なようにしてある。
【００４３】
さらに、上記給水パイプ３３のカバー３７の収納部３８及び前記背面壁体１８の壁体収納部２５の両方の前方には、これらを覆うように化粧カバー４２が背面壁体１８の一側端片部にビス止め等によって着脱自在に装着してある。
【００４４】
なお、この実施の形態では、前記給水パイプ３３の先端部分に凍結防止用ヒータ３５とともに給水パイプ先端開口部分の温度を検出して前記凍結防止用ヒータ３５の通電を制御するためのサーミスタ等からなる凍結防止温度センサ（図示せず）も装備してある。そしてそのリード線も前記凍結防止用ヒータ３５の凍結防止ヒータ用リード線３６と同様にしてカバー用本体リード線３９と接続し収納部３８に収納するようになっている。
【００４５】
以上のように構成された冷蔵庫について、以下その動作、作用を説明する。
【００４６】
まず、この冷蔵庫の前記給水パイプ３３まわり及び背面壁体１８まわりの組立について説明しておくと、この冷蔵庫の冷蔵庫本体１は内箱３に仕切板５，６を挿入し、この各仕切板５，６にあらかじめ組み込まれている壁体及びカバー用の本体リード線２７，３９を冷蔵庫本体内箱３からのリード線と配線接続しておいた後、内箱３の外周を外箱２で覆いこれら両者の間に発泡ウレタン等の発泡断熱材４を充填発泡させて形成する。
【００４７】
次に図９（ａ）に示すように野菜室８の一側奥部に給水パイプ３３とそのカバー３７をセットし、同図（ｂ）で示すように冷却室（図示せず）の前方に位置する如く冷却ファン２０を装着する。その後、同図（ｃ）で示すように冷却室からの冷気通路１７を覆うように断熱壁材２１と壁体カバー２２の間に結露防止用ヒータ２３を挟み込んで予め組み立てた背面壁体１８を装着し、背面壁体１８の取り付けを終える。次に、同図（ｄ）に示すように前記背面壁体１８の一側端片部の壁体収納部２５および給水パイプ３３とそのカバー３７を覆うように化粧カバー４２を装着して給水パイプ３３まわり及び背面壁体１８まわりの組立を完了する。
【００４８】
その際、すなわち、前記仕切板５，６を冶具によって冷蔵庫本体内箱３にセットするとき、冷蔵室７と野菜室８とを仕切る仕切板５に組み込まれている壁体用本体リード線２７は、図１０、図１１（ａ）に示すように当該仕切板５の後角部下面に設けた壁体仮収納部２９に丸めて仮収納しておくことができる。同様に、野菜室８と冷凍室９との間を仕切る仕切板６に組み込まれているカバー用本体リード線３９も図１４（ｂ）に示すように当該仕切板６の後角部に設けた仮収納部４１に丸めて仮収納しておくことができる。
【００４９】
これにより、前記冷蔵庫本体１の発泡成形時、各仕切板５，６を治具（図示せず）によって内箱３の内面に押しつけ固定する際、上記各壁体及びカバー用の本体リード線２７，
３９が治具と冷蔵庫本体内箱３との間に挟まれないように保持する保持部材を別途準備する必要がなくなる。或いはまた、壁体及びカバー用の本体リード線２７，３９を手作業等によって保持して壁体及カバー用の本体リード線２７，３９が挟まれないようにしつつ治具を挿入するなどの手間を掛けなくてもよくなる。したがって、保持部材を別途必要としない分だけ部品点数を削減できると同時に、壁体及カバー用の本体リード線２７，３９を手作業等で保持する手間が不要となってその分作業性も向上し、安価に提供することができる。しかも、治具によって壁体及カバー用の本体リード線２７，３９を内箱３との間に挟み込んでこれを傷つけたり切断してしまうようなことも未然に防止でき、歩留まりや品質が向上する。
【００５０】
上記のようにして冷蔵庫本体１の組立てを終えると、次に背面壁体１８や給水パイプ３３のリード線の接続処理を行う。
【００５１】
まず、給水パイプ３３のリード線処理を給水タンク３２のセットから順に説明する。
【００５２】
製氷装置はまず給水タンク３２を冷蔵室７の底面となる仕切板５の一側上部のタンク受け部（図示せず）に載置し、その給水パイプ３３を野菜室８内に垂設する。野菜室８内に垂設した給水パイプ３３の先端部分は図１３の（ａ）に示すように野菜室８の底面となる仕切板６の一側上部に設けたパイプ装着部４３に装着し、その先端開口を冷凍室９上部に配置した製氷皿４４に臨ませる。
【００５３】
次に、上記野菜室底面となる仕切板６の仮収納部４１に仮収納していたカバー用本体リード線を同図（ｂ）に示すように仮収納部４１から引き出す。そして、同図（ｃ）に示すように前記給水パイプ３３の凍結防止用ヒータ３５およびその凍結防止ヒータ用リード線３６の引出部分を覆うようにカバー３７を配置して仕切板６にビスにて装着する。これによって上記カバー３７に設けた収納部３８が給水パイプ３３の立ち上り部分に沿ってこれを覆うような形で位置する。
【００５４】
この状態で前記給水パイプ３３の凍結防止用ヒータ３５からの凍結防止ヒータ用リード線３６と仮収納部４１から引き出したカバー用本体リード線３９とを接続する。そして、前記接続したカバー用本体リード線３９と凍結防止ヒータ用リード線３６およびその接続部となるカバー用コネクタ４０を図１３の（ｄ）に示すように前記収納部３８に押し込み、収納する。
【００５５】
これにより、製氷装置のセットとそのリード線処理を終えることになる。
【００５６】
次に、背面壁体１８のセットとそのリード線処理を説明する。
【００５７】
背面壁体１８は図１０、図１１の（ａ）に示すような状態、すなわち結露防止用ヒータ２３の結露防止ヒータ用リード線２６を一側端片部２４の壁体収納部２５に丸め込んで収納した状態で冷蔵庫本体内箱３の内面にビスにて装着する。次に同図１１（ｂ）に示すように上記壁体収納部２５上方に位置する仕切板５下面の壁体仮収納部２９に仮収納されている壁体用本体リード線２７を壁体仮収納部２９から引き出し、前記結露防止用ヒータ２３の結露防止ヒータ用リード線２６と接続してその壁体用コネクタ２８とともに前記両リード線２６，２７を背面壁体１８の壁体収納部２５に収納保持させる。
【００５８】
これにより、背面壁体１８のセットとそのリード線処理を終えることになる。
【００５９】
そして、この状態でさらに同図（ｃ）に示すように、前記給水パイプ３３のリード線接続処理部及び背面壁体のリード線処理部の前方を覆う如く化粧カバー４２を背面壁体１８
に装着して、一連の組立作業を終えることになる。
【００６０】
以上のようにして構成されたこの冷蔵庫は、給水パイプ３３のカバー３７にリード線等を収納する収納部３８を設けているので、このカバー３７によって給水パイプ３３及び凍結防止用ヒータ３５の凍結防止ヒータ用リード線３６やそのカバー用コネクタ４０を合理的に収納処理することができる。したがって前記凍結防止用ヒータ３５からの凍結防止ヒータ用リード線３６や冷蔵庫本体側から引き出したカバー用本体リード線３９及びこれらのリード線３６，３９を接続する接続部となるカバー用コネクタ４０等の収納部を冷蔵庫本体１側に別途設ける必要がない。そして、上記カバー３７を取り外してカバー３７を手前側に取り出せば、凍結防止ヒータ用リード線３６と冷蔵庫本体側のカバー用リード線３９との接続等を手前側の比較的広い場所まで引き出して不自由なく行うことができ、結果的に給水パイプ３３や凍結防止用ヒータ３５のメンテナンスも容易に行えるようになる。
【００６１】
また、前記給水パイプ用リード線等の収納部３８はカバー３７に一体形成した構成としてあるから、収納部３８とカバー３７とを別部品で構成するような場合に比べ部品点数や組み立て工数を削減でき、安価に提供できる。しかも上記カバー３７を外すことによって前記した如く凍結防止用ヒータ３５の凍結防止ヒータ用リード線３６と冷蔵庫本体側のカバー用本体リード線３９との接続等を容易に行えるようになり、メンテナンス性が向上する。
【００６２】
また、前記給水パイプ３３は背面壁体１８の側方に設けた壁体収納部２５側に配置しているから、野菜室８の背面壁体１８に設けた奥まった位置の壁体収納部２５の空間を利用して給水パイプ３３を設けることができ、給水パイプ３３が背面壁体１８より前方に位置して野菜室内容積を狭めるのを防止できる。
【００６３】
しかも、前記背面壁体１８は冷蔵庫本体内箱３に、カバー３７は仕切板６に、と、それぞれ別々に装着してあるから、カバー３７及び背面壁体１８の着脱が容易となり、メンテナンス性をより向上させることができる。すなわち、野菜室内に設けた給水パイプ３３のカバー３７及び野菜室８の背面壁体１８は冷蔵庫本体１に対し別々に着脱することができるから、例えば背面壁体１８を外さないとカバー３７を外せない、あるいは逆にカバー３７を外さないと背面壁体１８が外せない、等の制約を受けることがなくなってカバー３７及び背面壁体１８の着脱が容易となり、メンテナンス性が向上するのである。
【００６４】
また、前記給水パイプ３３及びそのカバー３７とそれに設けた収納部３８のリード線収納部分と、前記背面壁体１８に設けた壁体収納部２５のリード線収納部分と、は、化粧カバー４２で一体に覆っているので、背面壁体１８側の壁体収納２５が前方に面して露出していてもこれを覆うカバーを別途必要とせず、構成の合理化による更なるコストダウンが達成できる。また、これと同時に、給水パイプ３３及びそのカバー３７自体もその全体を覆って人目につかないようにすることができ、品位を向上させることができる。しかも、壁体収納部２５を覆う化粧カバー４２を外すことによって背面壁体側の結露防止ヒータ用リード線２６を冷蔵庫本体側の壁体用本体リード線２７に対し直に着脱でき、その結果背面壁体１８の結露防止用ヒータ２３の交換等のメンテナンスも容易に行えるようになる。
【００６５】
加えて、前記野菜室８と冷凍室９との間を仕切る仕切板６には仮収納部４１を設けて、冷蔵庫本体側から引き出した給水パイプ３３用のカバー用本体リード線３９及びそのカバー用コネクタ４０を仮収納する構成としているから、既述したように、冷蔵庫本体内箱３に仕切板６をセットし治具で冷蔵庫本体内箱側に押しつけて発泡断熱材４を充填発泡させる際、前記カバー用本体リード線３９を仕切板６の仮収納部４１内に収納しておくことができる。したがって、治具セット時にカバー用本体リード線３９を仮保持する仮保持部材を別途準備する必要がなくなって作業性が向上するとともに、部品削減によるコストダウ
ンも可能となり、しかも、治具セット時に当該治具に圧接されて本体リード線３９が傷ついたり切断したりするのを防止でき、品質を安定させることもできる。
【００６６】
更に、この実施の形態では、前記背面壁体１８にもリード線等を収納する壁体収納部２５を設けているので、背面壁体１８組み込んである結露防止用ヒータ２３からの結露防止ヒータ用リード線２６と冷蔵庫本体１からの壁体用本体リード線２７及びこれらの接続部となる壁体用コネクタ２８等の収納部も前記給水パイプ３３の場合と同様冷蔵庫本体内箱３の内面壁等に設ける必要がなく、背面壁体１８に設けた壁体収納部２５を利用して合理的に収納処理することができる。
【００６７】
しかも、前記壁体収納部２５は背面壁体１８の背面に位置する冷気通路１７の側方に位置する如く設けてあるから、壁体収納部２５を設けて当該部分の壁厚が薄くなってもその背面には冷気通路１７が存在しないので冷輻射問題が生じることもなく、しかも壁体収納部２５を設けて壁厚が薄くなるのは背面壁体１８だけであって冷蔵庫本体１の壁厚は何ら関係ないのでその断熱性及び内容積に悪影響を与えることもない。
【００６８】
また、上記背面壁体１８の壁体収納部２５上方に位置する仕切板６にも壁体仮収納部２９を設けて、冷蔵庫本体側から引き出した結露防止用ヒータ２３用の壁体用本体リード線２７及びその壁体用コネクタ２８を仮収納可能な構成としているから、給水パイプ３３側の場合と同様、冷蔵庫本体内箱３に仕切板５をセットし治具で冷蔵庫本体内箱側に押しつけて発泡断熱材４を充填発泡させる際、前記壁体用本体リード線２７を仕切板５の壁体仮収納部２９内に収納しておくことができる。したがって、治具セット時に壁体用本体リード線２７を仮保持する仮保持部材を別途準備する必要がなくなって作業性が向上するとともに、部品削減によるコストダウンも可能となり、しかも、治具セット時に当該治具に圧接されて壁体用本体リード線２７が傷ついたり切断したりするのを防止でき、品質を安定させることもできる。
【００６９】
以上、本発明の実施の形態を説明してきたが、上記実施の形態で説明した構成は本発明を実施する一例として示したものであり、本発明の目的を達成する範囲で種々変更可能なことは言うまでもない。
【産業上の利用可能性】
【００７０】
本発明は、冷蔵庫本体側にリード線等収納部を設けることなくリード線等の収納処理が可能でメンテナンス作業も容易に行える冷蔵庫を提供することができる。よって、家庭用はもちろん業務用冷蔵庫やショーケース等多くの用途に幅広く適用することができる。
【符号の説明】
【００７１】
１  冷蔵庫本体
２  外箱
３  内箱（冷蔵庫本体内箱）
４  発泡断熱材
５、６  仕切板
７  冷蔵室
８  野菜室
９  冷凍室
１０、１１、１２  扉
１４  機械室
１５  圧縮機
１６  冷却室
１７  冷気通路
１８  背面壁体
１９  冷却器
２０  冷却ファン
２１  断熱壁材
２２  壁体カバー
２３  結露防止用ヒータ
２４  一側端片部
２５  収納部（壁体収納部）
２６  リード線（結露防止ヒータ用リード線）
２７  本体リード線（壁体用本体リード線）
２８  コネクタ（壁体用コネクタ）
２９  壁体仮収納部
３１  野菜室ファン
３２  給水タンク
３３  給水パイプ
３４  製氷皿
３５  凍結防止用ヒータ
３６  リード線（凍結防止ヒータ用リード線）
３７  カバー
３８  収納部
３９  本体リード線（カバー用本体リード線）
４０  コネクタ（カバー用コネクタ）
４１  仮収納部
４２  化粧カバー
４３  パイプ装着部
４４  製氷皿
【図１】
0006439135.tif 000002
【図２】
0006439135.tif 000003
【図３】
0006439135.tif 000004
【図４】
0006439135.tif 000005
【図５】
0006439135.tif 000006
【図６】
0006439135.tif 000007
【図７】
0006439135.tif 000008
【図８】
0006439135.tif 000009
【図９】
0006439135.tif 000010
【図１０】
0006439135.tif 000011
【図１１】
0006439135.tif 000012
【図１２】
0006439135.tif 000013
【図１３】
0006439135.tif 000014
【図１４】
0006439135.tif 000015
【図１５】
0006439135.tif 000016